(57)【要約】【課題】キャリッジの動作時のみならず、輸送時等の予想以上の衝撃を受けた場合であっても、タイミングベルトの歯飛び現象を防止することが可能なキャリッジの駆動装置およびこれを備えた画像読取装置並びに画像形成装置の提供。【解決手段】画像読み取り用のイメージセンサが搭載されたキャリッジと、キャリッジに接続されキャリッジを移動させるタイミングベルト５と、タイミングベルト５を張力が掛かった状態で架け渡す駆動プーリ６および従動プーリとを備えるキャリッジの駆動装置において、駆動プーリ６とタイミングベルト５との噛み合い部分の外周面の外側に、駆動プーリ６の歯先面と所定間隔に配置される曲面壁を有する歯飛び防止部材８が配置され、タイミングベルト５が駆動プーリ６の歯先面と所定間隔に配置された歯飛び防止部材８の曲面壁によって拘束されるので、タイミングベルト５の歯が対峙する駆動プーリ６の歯間から脱落することが防止される。【選択図】図３
2006142734.tif 000002
【特許請求の範囲】
【請求項１】
画像読み取り用のイメージセンサまたは画像形成用の記録ヘッドが搭載されたキャリッジと、同キャリッジに接続され同キャリッジを移動させるタイミングベルトと、同タイミングベルトを張力が掛かった状態で架け渡す駆動プーリおよび従動プーリとを備えるキャリッジの駆動装置において、
前記駆動プーリとタイミングベルトとの噛み合い部分の外周面の外側に、前記駆動プーリの歯先面と所定間隔に配置される曲面壁を有する歯飛び防止部材が配置されたことを特徴とするキャリッジの駆動装置。
【請求項２】
前記駆動プーリの歯先面と前記曲面壁との間隔が、前記タイミングベルトのベルト背部厚さと歯たけの合計よりも狭いことを特徴とする請求項１記載のキャリッジの駆動装置。
【請求項３】
前記歯飛び防止部材が、前記駆動プーリとタイミングベルトとの噛み合い部分の前記駆動プーリの回転軸方向に、前記タイミングベルトと所定間隔に配置される底面壁を有することを特徴とする請求項１または２に記載のキャリッジの駆動装置。
【請求項４】
前記タイミングベルトと前記底面壁との間隔が、前記タイミングベルトの歯幅よりも狭いことを特徴とする請求項３記載のキャリッジの駆動装置。
【請求項５】
前記駆動プーリは、ステッピングモータにより駆動されるものであることを特徴とする請求項１から４のいずれかに記載のキャリッジの駆動装置。
【請求項６】
前記従動プーリは、前記タイミングベルトの張力を調整するために前記キャリッジの移動方向に移動可能に形成され、かつ、ばね力により前記駆動プーリと反対方向に付勢されたものであって、
前記従動プーリの前記駆動プーリ側には、前記従動プーリが前記ばね力に逆らって前記駆動プーリ側に移動した際に前記従動プーリの歯に噛み合って前記従動プーリの回転を拘束するロック部材を備えたことを特徴とする請求項１から５のいずれかに記載のキャリッジの駆動装置。
【請求項７】
当該駆動装置が傾斜した際に、前記キャリッジの前記駆動プーリ側に飛び出して前記キャリッジの動きを拘束するストッパ機構を備えたことを特徴とする請求項１から６のいずれかに記載のキャリッジの駆動装置。
【請求項８】
前記キャリッジに画像読み取り用のイメージセンサが搭載された請求項１から７のいずれかに記載のキャリッジの駆動装置を備えたことを特徴とする画像読取装置。
【請求項９】
前記キャリッジに画像形成用の記録ヘッドが搭載された請求項１から７のいずれかに記載のキャリッジの駆動装置を備えたことを特徴とする画像形成装置。
【発明の詳細な説明】
【技術分野】
【０００１】
本発明は、画像読み取り用のイメージセンサまたは画像形成用の記録ヘッドが搭載されるキャリッジの駆動装置およびこれを備えた画像読取装置並びに画像形成装置に関する。
【背景技術】
【０００２】
画像読み取り用のイメージセンサを搭載したキャリッジを移動させることにより固定原稿を読み取る画像読取装置において、キャリッジは、通常、駆動プーリおよび従動プーリとの間に張力が掛かった状態で架け渡されるタイミングベルトに接続されている。このタイミングベルトは、モータによって駆動プーリを回転駆動することにより移動する。
【０００３】
このような構造の画像読取装置では、タイミングベルトの歯飛び現象が問題となっている。長期間の使用によりタイミングベルトが伸びた場合、テンションスプリングによりタイミングベルトへ加えている張力が低下し、原稿読み取り動作もしくは原稿読み取り後のキャリッジの戻し動作のいずれかにおいて歯飛び現象が発生する。歯飛び現象とは、タイミングベルトの歯が、対峙する駆動プーリの歯間から脱落し、異なる歯間へ移動する現象である。この歯飛び現象は、駆動プーリによって押されるタイミングベルトが駆動プーリに追従せず、タイミングベルトが駆動プーリから浮き上がってしまうために起こる現象である。
【０００４】
このタイミングベルトの歯飛びを防止するものとして、例えば、（特許文献１）に記載の歯飛び防止機構が知られている。この歯飛び防止機構は、従動プーリを支持して摺動可能な従動プーリ支持部材に粘性抵抗器を結合して、その加減速を緩和するものである。この歯飛び防止機構では、粘性抵抗によって従動プーリ支持部材が駆動プーリの方へ移動してタイミングベルトのテンションが大きく低下することを防ぎ、歯飛びを防止することができる。
【特許文献１】特開２００１−５８４３５号公報
【発明の開示】
【発明が解決しようとする課題】
【０００５】
ところが、タイミングベルトの歯飛び現象は、キャリッジの原稿読み取り動作時もしくは戻し動作時のいずれかにのみ発生するわけではなく、キャリッジ停止時においても梱包輸送時や落下時等（以下、「輸送時等」と総称する。）に発生する可能性がある。輸送時等には、キャリッジの戻し動作時の加速度の数十倍の衝撃を受けることもある。この場合、前述の粘性抵抗器だけでは加減速を緩和しきれず、歯飛び現象が発生し、最悪の場合キャリッジ部の破損等が起こり、使用不能となることも考えられる。
【０００６】
そこで、本発明においては、キャリッジの動作時のみならず、キャリッジ停止時に輸送時等の予想以上の衝撃を受けた場合であっても、タイミングベルトの歯飛び現象を防止することが可能なキャリッジの駆動装置およびこれを備えた画像読取装置並びに画像形成装置を提供することを目的とする。
【課題を解決するための手段】
【０００７】
上記課題を解決するため本発明のキャリッジの駆動装置は、画像読み取り用のイメージセンサまたは画像形成用の記録ヘッドが搭載されたキャリッジと、キャリッジに接続されキャリッジを移動させるタイミングベルトと、タイミングベルトに張力が掛かった状態で架け渡す駆動プーリおよび従動プーリとを備えるキャリッジの駆動装置において、駆動プーリとタイミングベルトとの噛み合い部分の外周面の外側に、駆動プーリの歯先面と所定間隔に配置される曲面壁を有する歯飛び防止部材が配置されたことを特徴とする。
【発明の効果】
【０００８】
本発明のキャリッジの駆動装置によれば、キャリッジの動作時に駆動プーリによって押されるタイミングベルトが駆動プーリに追従できなかったり、輸送時等に予想以上の衝撃を受けたりすることにより、タイミングベルトが駆動プーリから浮き上がろうとしても、タイミングベルトが駆動プーリの歯先面から所定間隔にて配置された歯飛び防止部材の曲面壁によって拘束されるので、タイミングベルトの歯が対峙する駆動プーリの歯間から脱落することが防止される。
【発明を実施するための最良の形態】
【０００９】
本願の第１の発明は、画像読み取り用のイメージセンサまたは画像形成用の記録ヘッドが搭載されたキャリッジと、キャリッジに接続されキャリッジを移動させるタイミングベルトと、タイミングベルトを張力が掛かった状態で架け渡す駆動プーリおよび従動プーリとを備えるキャリッジの駆動装置において、駆動プーリとタイミングベルトとの噛み合い部分の外周面の外側に、駆動プーリの歯先面と所定間隔に配置される曲面壁を有する歯飛び防止部材が配置されたことを特徴とする。この発明によれば、キャリッジの動作時に駆動プーリによって押されるタイミングベルトが駆動プーリに追従できなかったり、輸送時等に予想以上の衝撃を受けたりすることにより、タイミングベルトが駆動プーリから浮き上がっても、タイミングベルトが駆動プーリの歯先面と所定間隔に配置された歯飛び防止部材の曲面壁によって拘束されるので、タイミングベルトの歯が対峙する駆動プーリの歯間から脱落することが防止される。
【００１０】
本願の第２の発明は、上記キャリッジの駆動装置において、駆動プーリの歯先面と曲面壁との間隔が、タイミングベルトのベルト背部厚さと歯たけの合計よりも狭いことを特徴とする。この発明によれば、タイミングベルトが駆動プーリから浮き上がっても、タイミングベルトの歯が駆動プーリの歯に乗り上げて越えることがないので、タイミングベルトの歯が対峙する駆動プーリの歯間から脱落することがない。
【００１１】
本願の第３の発明は、上記キャリッジの駆動装置において、歯飛び防止部材が、駆動プーリとタイミングベルトとの噛み合い部分の駆動プーリの回転軸方向に、タイミングベルトと所定間隔に配置される底面壁を有することを特徴とする。この発明によれば、輸送時等に通常のキャリッジの走行方向以外の方向の加速度を受けた場合であっても、タイミングベルトが駆動プーリとタイミングベルトとの噛み合い部分の駆動プーリの回転軸方向に配置された歯飛び防止部材の底面壁によって拘束されるので、タイミングベルトの歯が対峙する駆動プーリの歯間から駆動プーリの回転軸方向に脱落することが防止される。
【００１２】
本願の第４の発明は、上記キャリッジの駆動装置において、タイミングベルトと底面壁との間隔が、タイミングベルトの歯幅よりも狭いことを特徴とする。この発明によれば、タイミングベルトが噛み合っている駆動プーリの回転軸方向に浮き上がっても、タイミングベルトの歯が駆動プーリの歯から掛け外れることがないので、タイミングベルトの歯が対峙する駆動プーリの歯間から脱落することがない。
【００１３】
本願の第５の発明は、上記キャリッジの駆動装置において、駆動プーリは、ステッピングモータにより駆動されるものであることを特徴とする。ステッピングモータは、回転子に永久磁石が使用されており、無励磁状態でも自己保持力（ディテントトルク）を発生するという特性を有する。このため、本発明では、輸送時等に予想以上の衝撃を受けた場合であっても、駆動プーリに接続されたステッピングモータが駆動プーリの回転を防止するので、キャリッジが移動するのを防止することができる。これにより、キャリッジに搭載された画像読み取り用のイメージセンサまたは画像形成用の記録ヘッドが移動して損傷するのを防止することができる。なお、本発明のキャリッジの駆動装置では、落下時等の衝撃により、キャリッジとイメージセンサまたは記録ヘッドの重量からタイミングベルトが駆動プーリを回転させようとしても、タイミングベルトと歯飛び防止材の曲面壁との摺動摩擦によりタイミングベルトの回転を止めようとするので、たとえ駆動プーリを回転させるモータ自体のディテントトルクが低くてもキャリッジを保持することが可能である。
【００１４】
本願の第６の発明は、上記キャリッジの駆動装置において、従動プーリは、タイミングベルトの張力を調整するためにキャリッジの移動方向に移動可能に形成され、かつ、ばね力により駆動プーリと反対方向に付勢されたものであって、従動プーリの駆動プーリ側には、従動プーリがばね力に逆らって駆動プーリ側に移動した際に従動プーリの歯に噛み合って従動プーリの回転を拘束するロック部材を備えたことを特徴とする。この発明によれば、輸送時等に予想以上の衝撃を受け、従動プーリがばね力に逆らって駆動プーリ側に移動した際にロック部材が従動プーリの歯に噛み合って従動プーリの回転を拘束し、従動プーリの回転を阻止するので、キャリッジが移動するのを防止することができる。これにより、キャリッジに搭載された画像読み取り用のイメージセンサまたは画像形成用の記録ヘッドが移動して損傷するのを防止することができる。
【００１５】
本願の第７の発明は、上記キャリッジの駆動装置において、当該駆動装置が傾斜した際に、キャリッジの駆動プーリ側に飛び出してキャリッジの動きを拘束するストッパ機構を備えたことを特徴とする。この発明によれば、輸送時等に当該駆動装置が傾斜すると、ストッパ機構がキャリッジの駆動プーリ側に飛び出してキャリッジの動きが拘束され、キャリッジの移動が阻止される。これにより、キャリッジに搭載された画像読み取り用のイメージセンサまたは画像形成用の記録ヘッドが移動して損傷するのを防止することができる。
【００１６】
本願の第８の発明は、上記キャリッジに画像読み取り用のイメージセンサが搭載された画像読取装置である。この発明によれば、キャリッジの動作時や輸送時等のタイミングベルトの歯飛び現象が防止された画像読取装置が得られる。
【００１７】
本願の第９の発明は、上記キャリッジに画像形成用の記録ヘッドが搭載された画像形成装置である。この発明によれば、キャリッジの動作時や輸送時等のタイミングベルトの歯飛び現象が防止された画像形成装置が得られる。
【００１８】
（実施の形態）
図１は本発明の実施の形態における画像読取装置の内部構成を示す斜視図、図２は図１のＡ矢視図、図３は図１のＢ部拡大図である。
【００１９】
図１に示すように、本発明の実施の形態における画像読取装置は、その筐体１内に、画像読み取り用のイメージセンサ２と、このイメージセンサ２が搭載されたキャリッジ３と、このキャリッジ３を駆動する駆動装置とを備える。駆動装置は、このキャリッジ３を誘導するキャリッジシャフト４と、キャリッジ３に接続されキャリッジ３を移動させるタイミングベルト５と、このタイミングベルト５を架け渡す駆動プーリ６および従動プーリ７と、タイミングベルト５の歯飛びを防止するための歯飛び防止部材８とを有する。
【００２０】
イメージセンサ２は、筐体１の上部に設けられた透明な原稿台としてのプラテンガラス９の裏面側に配置されている。プラテンガラス９上に載置される原稿（図示せず。）は、このプラテンガラス９越しにイメージセンサ２により読み取られる。イメージセンサ２は、図２の面に対して垂直方向（主走査方向）の１ラインを読み取るラインイメージセンサである。
【００２１】
イメージセンサ２としては、ＲＧＢ各色のＬＥＤ（Ｌｉｇｈｔ−Ｅｍｉｔｔｉｎｇ  Ｄｉｏｄｅ；発光ダイオード）を光源とした光を順に原稿に照射し、反射してきた光をＣＩＳ（Ｃｏｎｔａｃｔ  Ｉｍａｇｅ  Ｓｅｎｓｏｒ；密着イメージセンサ）で順次受光してスキャンするＣＩＳ方式のイメージセンサや、光源から原稿面に光を照射し、反射した光をさらに鏡で反射させ、レンズを通してＣＣＤ（Ｃｈａｒｇｅ  Ｃｏｕｐｌｅｄ  Ｄｅｖｉｃｅ）で受光する方式のイメージセンサ等を使用することができる。
【００２２】
原稿読み取り時には、イメージセンサ２は、キャリッジ３とともにタイミングベルト５によって図１および図２の左右方向（副走査方向）へと移動する。タイミングベルト５は、従動プーリ７をテンションスプリング１０のばね力によって駆動プーリ６と反対方向に付勢することで、駆動プーリ６と従動プーリ７との間に張力が掛かった状態で架け渡されている。なお、図示しないが、従動プーリ７は、タイミングベルト５の張力を調整するため、キャリッジ３の移動方向に移動できるように、筐体１に摺動可能に取り付けられている。
【００２３】
タイミングベルト５は、駆動プーリ６の回転によって駆動する。駆動プーリ６は、減速ギア１１を介して駆動モータとしてのステッピングモータ１２により回転する。歯飛び防止部材８は、図３に示すように、駆動プーリ６とタイミングベルト５との噛み合い部分を覆うように固定されている。歯飛び防止部材８は、高い摺動性を有する例えば、ポリアセタール樹脂等の樹脂や表面に高摺動性を付与するためにテフロン（登録商標）コーティング等の処理が施されたものである。
【００２４】
図４は歯飛び防止部材８の拡大図であって、（ａ）は下面図、（ｂ）は正面図、（ｃ）は平面図、（ｄ）は背面図、（ｅ）は右側面図である。図５は歯飛び防止部材８を駆動プーリ６上に取り付けた状態の下面図である。
【００２５】
図４に示すように、歯飛び防止部材８は、駆動プーリ６とタイミングベルト５との噛み合い部分の駆動プーリ６の回転軸方向に配置される円板状の底面壁８ａと、駆動プーリ６とタイミングベルト５との噛み合い部分の外周面の外側に配置される凹板状の曲面壁８ｂとを有する。底面壁８ａの内面とタイミングベルト５との間隔は、タイミングベルト５の歯幅よりも狭く設定されている。また、曲面壁８ｂの内面と駆動プーリ６の歯先面との間隔８ｃは、タイミングベルト５のベルト背部厚さＡと歯たけＢの合計Ｃよりも狭く設定されている。
【００２６】
図６は従動プーリ７とタイミングベルト５との噛み合い部分の平面図である。なお、図６においては、タイミングベルト５の従動プーリ７の軸方向の外れ防止用ホイールは図示していない。
【００２７】
図６に示すように、従動プーリ７の駆動プーリ６側（図６の左側）には、従動プーリ７の歯７ａと嵌合可能な歯１３ａが形成されたロック部材１３が設けられている。従動プーリ７は、前述のようにテンションスプリング１０のばね力によって駆動プーリ６と反対方向に付勢されており、通常の使用状態においてはロック部材１３が干渉しない位置に配置されるように設定されている。また、輸送時等に予想以上の衝撃を受け、従動プーリ７がテンションスプリング１０のばね力に逆らって駆動プーリ６側に移動した際に、従動プーリ７の歯７ａがロック部材１３の歯１３ａに嵌合するように設定されている。
【００２８】
また、本実施の形態におけるキャリッジ３の駆動装置は、この駆動装置が傾斜した際、すなわち画像読取装置が傾斜した際に、キャリッジ３が移動しないようにするストッパ機構を備える。図７はこのストッパ機構の詳細を示す断面図であって、（ａ）は画像読取装置が水平状態にある場合の断面図、（ｂ）は画像読取装置が水平方向から６０°傾斜した状態にある場合の断面図、（ｃ）は画像読取装置が垂直方向に傾斜した状態にある場合の断面図である。
【００２９】
図７の各図に示すように、ストッパ機構１４は、画像読取装置が傾斜した際にキャリッジ３の駆動プーリ６側の移動経路上に飛び出してキャリッジ３の動きを拘束するストッパ部材１５と、このストッパ部材１５をキャリッジ３の移動経路上から離す方向へ付勢するスプリング１６とを備える。
【００３０】
スプリング１６は、図７（ａ）に示すように、画像読取装置が水平状態にある場合は、ストッパ部材１５の重力による回転モーメントがスプリング１６のばね力による回転モーメントに勝るように設定されている。これにより、画像読取装置が水平状態にある場合は、ストッパ部材１５がキャリッジ３の移動を妨げることがなく、通常の移動動作を行うことが可能である。
【００３１】
また、このスプリング１６は、図７（ｂ）、（ｃ）に示すように、画像読取装置が水平方向から６０°以上傾斜した状態にある場合に、スプリング１６のばね力による回転モーメントがストッパ部材１５の重力による回転モーメントに勝るように設定されている。これにより、画像読取装置が６０°以上傾斜した場合は、ストッパ部材１５がキャリッジ３の移動経路上に飛び出してその動きを拘束するようになる。
【００３２】
上記構成の画像読取装置では、装置停止時には図１に示すようにキャリッジ３を駆動プーリ６と反対側の従動プーリ７の近傍にて停止させておく。そして、原稿読み取り動作時には、駆動プーリ６を回転させてタイミングベルト５を引っ張ることによりキャリッジ３を移動させる。このように、原稿読み取り時にはキャリッジ３をタイミングベルト５の引っ張り側で動作させるのでその緩みおよびテンションスプリング１０の劣化の影響は受けにくい。
【００３３】
一方、キャリッジ３の戻し動作時には、駆動プーリ６を逆に回転させてキャリッジ３を逆方向に引っ張るが、キャリッジ３はタイミングベルト５の緩み側で動作させることになる。ここで、本実施の形態におけるキャリッジ３の駆動装置を備えた画像読取装置では、駆動プーリ６とタイミングベルト５との噛み合い部分の外周面の外側に、駆動プーリ６の歯先面と所定間隔に配置される曲面壁８ｂを有する歯飛び防止部材８が配置されているので、タイミングベルト５が駆動プーリ６から浮き上がっても、この歯飛び防止部材８の曲面壁８ｂによって拘束されるので、タイミングベルト５の歯が対峙する駆動プーリ６の歯間から脱落することが防止される。また、輸送時等において落下等により予想以上の衝撃を受けた場合も同様に、歯飛び防止部材８によって拘束されるので、タイミングベルト５の歯が対峙する駆動プーリ６の歯間から脱落することが防止される。
【００３４】
特に、本実施の形態においては、駆動プーリ６の歯先面と曲面壁８ｂとの間隔が、タイミングベルト５のベルト背部厚さＡと歯たけＢの合計Ｃよりも狭いので、タイミングベルト５が駆動プーリ６から浮き上がっても、タイミングベルト５の歯が駆動プーリ６の歯に乗り上げて越えることがないので、タイミングベルト５の歯が対峙する駆動プーリ６の歯間から脱落することがない。
【００３５】
また、この歯飛び防止部材８は、駆動プーリ６とタイミングベルト５との噛み合い部分の駆動プーリ６の回転軸方向に、タイミングベルト５と所定間隔に配置される底面壁８ａを備えるので、輸送時等に通常のキャリッジ３の走行方向以外の方向の加速度を受けた場合であっても、タイミングベルト５がこの歯飛び防止部材８の底面壁８ａによって拘束されるので、タイミングベルト５の歯が対峙する駆動プーリ６の歯間から駆動プーリ６の回転軸方向に脱落することが防止されている。
【００３６】
特に、本実施の形態においては、この歯飛び防止部材８のタイミングベルト５と底面壁８ａとの間隔が、タイミングベルト５の歯幅よりも狭いので、タイミングベルト５が駆動プーリ６から駆動プーリ６の回転軸方向に浮き上がっても、タイミングベルト５の歯が駆動プーリ６の歯から掛け外れることがないので、タイミングベルト５の歯が対峙する駆動プーリ６の歯間から脱落することがない。
【００３７】
また、本実施の形態においては、駆動プーリ６を無励磁状態でもディテントトルクを発生するという特性を有するステッピングモータ１２により駆動しているので、輸送時等に予想以上の衝撃を受けた場合であっても、駆動プーリ６に接続されたステッピングモータ１２が駆動プーリ６の回転を防止するので、キャリッジ３の移動が防止される。これにより、キャリッジ３に搭載されたイメージセンサ２が移動して損傷することが防止される。
【００３８】
また、キャリッジ３の重量からタイミングベルト５が駆動プーリ６を回転させようとしても、タイミングベルト５と歯飛び防止材８の曲面壁８ｂとの摺動摩擦によりタイミングベルト５の回転を止めようとするので、たとえ駆動プーリ６を回転させるステッピングモータ１２自体のディテントトルクが低くてもキャリッジ３を保持することが可能である。
【００３９】
また、本実施の形態においては、輸送時等に予想以上の衝撃を受け、従動プーリ７がテンションスプリング１０のばね力に逆らって駆動プーリ６側に移動した際にロック部材１３の歯１３ａが従動プーリ７の歯７ａに噛み合って従動プーリ７の回転を拘束し、従動プーリ７の回転を阻止するので、キャリッジ３が移動しない。これにより、キャリッジ３に搭載されたイメージセンサ２が移動して損傷することが防止される。
【００４０】
また、落下等により画像読取装置が６０°以上傾斜した際には、ストッパ機構１４がキャリッジ３の駆動プーリ６側に飛び出してキャリッジ３の動きを拘束するので、キャリッジ３の移動が阻止される。これにより、キャリッジ３に搭載されたイメージセンサ２が移動して損傷することが防止される。
【００４１】
なお、本実施の形態においては画像読取装置について説明したが、本実施の形態におけるキャリッジ３の駆動装置は、画像形成用の記録ヘッドが搭載されるキャリッジに同様の機構を有する画像形成装置にも適用可能である。
【産業上の利用可能性】
【００４２】
本発明のキャリッジの駆動装置は、画像読み取り用のイメージセンサが搭載される画像読取装置または画像形成用の記録ヘッドが搭載される画像形成装置に有用である。特に、本発明は、キャリッジの動作時のみならず、輸送時等の予想以上の衝撃を受けた場合であっても、タイミングベルトの歯飛び現象を防止することが可能なキャリッジの駆動装置として好適である。
【図面の簡単な説明】
【００４３】
【図１】本発明の実施の形態における画像読取装置の内部構成を示す斜視図
【図２】図１のＡ矢視図
【図３】図１のＢ部拡大図
【図４】歯飛び防止部材の拡大図
【図５】歯飛び防止部材を駆動プーリ上に取り付けた状態の下面図
【図６】従動プーリとタイミングベルトとの噛み合い部分の平面図
【図７】ストッパ機構の詳細を示す断面図
【符号の説明】
【００４４】
１    筐体
２    イメージセンサ
３    キャリッジ
４    キャリッジシャフト
５    タイミングベルト
６    駆動プーリ
７    従動プーリ
７ａ    歯
８    歯飛び防止部材
８ａ    底面壁
８ｂ    曲面壁
８ｃ    間隔
９    プラテンガラス
１０    テンションスプリング
１１    減速ギア
１２    ステッピングモータ
１３    ロック部材
１３ａ    歯
１４    ストッパ機構
１５    ストッパ部材
１６    スプリング
【図１】
2006142734.tif 000003
【図２】
2006142734.tif 000004
【図３】
2006142734.tif 000005
【図４】
2006142734.tif 000006
【図５】
2006142734.tif 000007
【図６】
2006142734.tif 000008
【図７】
2006142734.tif 000009